(57)【特許請求の範囲】
【請求項１】
被写体光路用の開口部を有しているシャッタ地板と、
被写体光路用の開口部を有していて所定の間隔を空けて前記シャッタ地板に取り付けられている補助地板と、
前記二つの開口部を含めた三つのうちの少なくとも一つによって長方形の露光開口を形成している略長方形の被写体光路用の開口部を有しており前記シャッタ地板と前記補助地板との間に配置されていて前記シャッタ地板との間に第１羽根室を構成し前記補助地板との間に第２羽根室を構成している中間板と、
前記第１羽根室に配置されており前記露光開口の一方の短辺の外側となる領域において前記シャッタ地板に各々の一端を枢着されている二つのアームとそれらのアームよりも前記中間板側に配置されていてそれらのアームの両方に対してそれらのアームの自由端に向けて各々の長さ方向の一端を順に枢支されている複数枚の羽根とで構成されていて前記露光開口を開いているときには前記露光開口の一方の長辺の外側となる領域において該複数枚の羽根を前記露光開口の長辺と略平行になるようにして重畳させている第１シャッタ羽根と、
前記第２羽根室に配置されており前記露光開口の前記一方の短辺の外側となる領域において前記シャッタ地板に各々の一端を枢着されている二つのアームとそれらのアームよりも前記中間板側に配置されていてそれらのアームの両方に対してそれらのアームの自由端に向けて各々の長さ方向の一端を順に枢支されている複数枚の羽根とで構成されていて前記露光開口を開いているときには前記露光開口の他方の長辺の外側となる領域において該複数枚の羽根を前記露光開口の長辺と略平行になるようにして重畳させている第２シャッタ羽根と、を備えていて、
前記中間板は、前記露光開口の二つの長辺の外側となる二つの外形形状形成縁の少なくとも一方が前記露光開口に向けて凸となる円弧状に形成されているとともに、該円弧の頂点が前記重畳されている複数枚の羽根の長さ方向の中央近傍に位置していて、前記露光開口の長辺の外側となる領域の一部が前記重畳されている複数枚の羽根とは重ならないようにしていることを特徴とするカメラ用フォーカルプレンシャッタ。
【発明の詳細な説明】
【技術分野】
【０００１】
本発明は、複数枚の羽根を有しているシャッタ羽根を二つ備えたカメラ用フォーカルプレンシャッタに関する。
【背景技術】
【０００２】
カメラ用フォーカルプレンシャッタの中には、先羽根及び後羽根などと言われている二つのシャッタ羽根を備えたものが知られており、デジタルカメラにも、銀塩フィルムカメラにも採用されているが、この種のフォーカルプレンシャッタは、シャッタ地板と補助地板（カバー板などとも言う）との間を中間板（仕切り板などとも言う）で仕切ることによって二つの羽根室を構成し、二つのシャッタ羽根をそれらの羽根室に別々に配置するようにしている。
【０００３】
また、二つのシャッタ羽根は、いずれも、シャッタ地板に対してそれらの一端を個々に枢着した二つのアームと、それらのアームの両方に対して、それらのアームの自由端に向けて順に枢支した複数枚の羽根とで構成されており、羽根室内においては、二つのアームよりも複数枚の羽根の方を中間板側にして配置されているため、いずれのシャッタ羽根も、二つのアームの一番枢着部側に枢支されているは、中間板に常に接するようになっている。そして、それらのシャッタ羽根は、露光開口から退いているときには、複数枚の羽根の相互の重なり量を大きくして重畳状態にさせられており、露光開口を覆っているときには、複数枚の羽根の相互の重なり量を小さくして展開状態にさせられている。
【０００４】
このような構成をしている二つのシャッタ羽根は、露光作動を行うに際しては、先ず、展開状態にある第１のシャッタ羽根が作動を開始させられて露光開口を開いてゆき、続いて、重畳状態にある第２のシャッタ羽根が同じ方向へ作動を開始させられて露光開口を覆ってゆき、両者のスリット形成羽根の間に形成されたスリットにより、撮像面を露光していくようにしているが、その露光作動を行うときの駆動源としては、ばねを用いるものとモータを用いるものとが知られている。
【０００５】
それらのうち、ばねを駆動源としたものは、上記の第１のシャッタ羽根のアームの一つに駆動ピンを連結させている第１の駆動部材を、第１の駆動ばねの付勢力によって回転させるようにし、上記の第２のシャッタ羽根のアームの一つに駆動ピンを連結させている第２の駆動部材を、第２の駆動ばねの付勢力によって回転させるように構成されているが、第１の駆動部材と第２の駆動部材を露光作動開始直前の状態に保持する形式の違いによって、ダイレクトタイプと言われているものと、係止タイプと言われているものとがある。そして、下記の特許文献１には、そのような構成をしたダイレクトタイプのフォーカルプレンシャッタが記載されており、下記の特許文献２には、係止タイプのフォーカルプレンシャッタが記載されている。
【０００６】
また、このように、ばねを駆動源として露光作動を行うフォーカルプレンシャッタの場合には、ダイレクトタイプであっても係止タイプであっても、撮影前には、第２のシャッタ羽根だけではなく、第１のシャッタ羽根も重畳状態にして、露光開口を全開にしておき、撮影対象とする被写体像を、撮像素子を介してモニタで観察可能にし、撮影に際してレリーズボタンを押すと、第１のシャッタ羽根を重畳状態から展開状態にした後、上記のようにして露光作動を行わせるものが知られているが、下記の特許文献３には、そのように構成したダイレクトタイプのフォーカルプレンシャッタが記載されている。
【０００７】
他方、モータを駆動源としたものは、第１のモータの回転子と一体の出力ピン（駆動ピン）を第１のシャッタ羽根のアームの一つに連結させ、第２のモータの回転子と一体の出力ピン（駆動ピン）を第２のシャッタ羽根のアームの一つに連結させたものが知られており、下記の特許文献４には、そのように構成されたフォーカルプレンシャッタが、第２実施例として記載されている。
【０００８】
そして、この構成のフォーカルプレンシャッタは、露光作動に際しては、撮影の都度、第１のシャッタ羽根を展開状態から重畳状態に作動させ、第２のシャッタ羽根を重畳状態から展開状態に作動させるようにすることもできるほか、前の撮影で、第１のシャッタ羽根を展開状態から重畳状態に作動させ、第２のシャッタ羽根を重畳状態から展開状態に作動させた場合には、次の撮影では、第２のシャッタ羽根を展開状態から重畳状態に作動させ、第１のシャッタ羽根を重畳状態から展開状態に作動させることも可能になっている。
【０００９】
また、この構成のフォーカルプレンシャッタは、撮影前には、第２のシャッタ羽根だけではなくて、第１のシャッタ羽根も重畳状態にして、露光開口を全開にしておき、撮影対象とする被写体像を、撮像素子を介してモニタで観察可能にし、撮影に際してレリーズボタンを押すと、第１のシャッタ羽根と第２のシャッタ羽根のいずれか一方を重畳状態から展開状態にした後、上記のように露光作動を行わせることもできるし、撮影に際してレリーズボタンを押すと、第１のシャッタ羽根と第２のシャッタ羽根とを撮影ごとに交互に重畳状態から展開状態にした後、上記のようにして露光作動を行わせることもできるものである。本発明は、これらのように、撮影に際してレリーズボタンを押した直後に、重畳状態にあったシャッタ羽根が展開状態に作動するようにした、二つのシャッタ羽根を備えたフォーカルプレンシャッタに関するものである。
【先行技術文献】
【特許文献】
【００１０】
【特許文献１】特開２００８−２１６４８４号公報
【特許文献２】特開２００８−１６４８０５号公報
【特許文献３】特開２００７−２９８５４４号公報
【特許文献４】特開２００４−２６４４６８号公報
【発明の概要】
【発明が解決しようとする課題】
【００１１】
ところで、最近では、カメラが小型化，薄型化されてきているため、フォーカルプレンシャッタについても、小型化，薄型化が要求されており、その一環として、シャッタ羽根の作動領域の厚さ方向（光軸に沿った方向）の寸法も、極力薄くすることが要求されている。そのため、各々の羽根室を構成している上記の各板部材の厚さや、シャッタ羽根の構成部材の厚さも可能な限り薄くしてきているが、その上に、シャッタ地板と補助地板の間に構成されている二つの羽根室の空間間隔も小さくする必要に迫られている。しかしながら、それらの空間間隔を余り小さくすると、加工公差の関係などから、羽根同士の摩擦抵抗力や羽根と三つの板部材（シャッタ地板，中間板，補助地板）との間の摩擦抵抗力が均一に得られなくなって、重畳状態にあるシャッタ羽根を作動させるとき、好適に作動を開始させることができず、露光開口を閉じ始めるタイミングや、露光開口を閉じ始めるときの羽根（スリット形成羽根）の姿勢が変動し易くなってしまう。
【００１２】
そして、そのような現象が生じると、特許文献１，２に記載されているフォーカルプレンシャッタの場合には、特に高速撮影のときに露光時間が安定して得られなくなってしまったり、露光むらを発生させたりしてしまうという問題が生じる。また、特許文献３に記載されているフォーカルプレンシャッタのように、撮影前には、撮影対象とする被写体像を、撮像素子を介してモニタで観察可能となるように構成したフォーカルプレンシャッタの場合には、上記のように、露光時間が安定して得られなくなってしまったり、露光むらを発生させたりしてしまうほか、カメラのレリーズボタンを押してから、先羽根によって実際に撮影が開始されるまでの時間を必要以上に長くせざるを得なくなってしまい、動いている被写体を意図した状態で撮影し難くしてしまうという問題が生じる。
【００１３】
本発明は、このような問題点を解決するためになされたものであり、その目的とするところは、シャッタ地板に各々の一端を枢着した二つのアームと、それらのアームの両方に対してそれらのアームの自由端に向けて順に枢支した複数枚の羽根とで構成されているシャッタ羽根が、カメラのレリーズボタンを押した直後において、重畳状態から安定して作動を開始できるようにした、薄型化に適した、二つのシャッタ羽根を備えているカメラ用フォーカルプレンシャッタを提供することである。
【課題を解決するための手段】
【００１４】
上記の目的を達成するために、本発明のカメラ用フォーカルプレンシャッタは、被写体光路用の開口部を有しているシャッタ地板と、被写体光路用の開口部を有していて所定の間隔を空けて前記シャッタ地板に取り付けられている補助地板と、前記二つの開口部を含めた三つのうちの少なくとも一つによって長方形の露光開口を形成している略長方形の被写体光路用の開口部を有しており前記シャッタ地板と前記補助地板との間に配置されていて前記シャッタ地板との間に第１羽根室を構成し前記補助地板との間に第２羽根室を構成している中間板と、前記第１羽根室に配置されており前記露光開口の一方の短辺の外側となる領域において前記シャッタ地板に各々の一端を枢着されている二つのアームとそれらのアームよりも前記中間板側に配置されていてそれらのアームの両方に対してそれらのアームの自由端に向けて各々の長さ方向の一端を順に枢支されている複数枚の羽根とで構成されていて前記露光開口を開いているときには前記露光開口の一方の長辺の外側となる領域において該複数枚の羽根を前記露光開口の長辺と略平行になるようにして重畳させている第１シャッタ羽根と、前記第２羽根室に配置されており前記露光開口の前記一方の短辺の外側となる領域において前記シャッタ地板に各々の一端を枢着されている二つのアームとそれらのアームよりも前記中間板側に配置されていてそれらのアームの両方に対してそれらのアームの自由端に向けて各々の長さ方向の一端を順に枢支されている複数枚の羽根とで構成されていて前記露光開口を開いているときには前記露光開口の他方の長辺の外側となる領域において該複数枚の羽根を前記露光開口の長辺と略平行になるようにして重畳させている第２シャッタ羽根と、を備えていて、前記中間板は、前記露光開口の二つの長辺の外側となる二つの外形形状形成縁の少なくとも一方が前記露光開口に向けて凸となる円弧状に形成されているとともに、該円弧の頂点が前記重畳されている複数枚の羽根の長さ方向の中央近傍に位置していて、前記露光開口の長辺の外側となる領域の一部が前記重畳されている複数枚の羽根とは重ならないようにする。
【発明の効果】
【００１６】
本発明は、シャッタ地板と補助地板の間を仕切っている中間板を、長方形をしている露光開口の二つの長辺の外側となる外形形成縁のうちの少なくとも一方が、露光開口に向けて中間板の一部を切り落とした形状に形成されていて、露光開口の長辺の外側となる領域の一部が重畳状態にある複数枚の羽根と重ならないようにしたため、シャッタ地板と補助地板との間の間隔を従来より小さくしても、撮影に際して、複数枚の羽根の作動を安定して開始させることができるという特徴がある。
【図面の簡単な説明】
【００１７】
【図１】露光作動終了直後の状態を示した平面図であって、シャッタ羽根の制御機構については、主に、シャッタ地板の近くに配置されている開閉駆動機構の構成部材だけを示したものである。
【図２】図１における左約半分だけを拡大して示した平面図である。
【図３】露光作動終了直後の状態を示した平面図であって、図２に示されている開閉駆動機構よりもシャッタ地板から離れたところに、その開閉駆動機構と重なるようにして配置されている係止解除機構の構成部材を示したものである。
【図４】図２に示されている開閉駆動機構のオーバーセット状態を示した平面図である。
【図５】図２に示されている開閉駆動機構のセット完了状態を示した平面図である。
【図６】図３に示されている係止解除機構のセット完了状態を示した平面図である。
【図７】図３に示されている係止解除機構が、カメラのレリーズ直後に発生させる現象を示した平面図である。
【図８】図７に示した状態の直後における係止解除機構の状態を示した平面図である。
【発明を実施するための形態】
【００１８】
本発明の実施の形態を、図示した実施例によって説明する。尚、本発明は、複数枚の羽根を有しているシャッタ羽根を二つの備えているフォーカルプレンシャッタであれば、どのような形式の構成をしたものにも採用することが可能であるが、実施例は、上記の特許文献２に記載されているフォーカルプレンシャッタに類する、係止タイプのフォーカルプレンシャッタとして構成したものである。
【実施例】
【００１９】
先ず、主に、図１〜図３を用いて本実施例の構成を説明する。尚、図１〜図３は、いずれも露光作動終了直後の状態を示した平面図である。そして、図１は、シャッタ地板の背面側に配置されている二つのシャッタ羽根などの構成も破線で示している。しかし、開閉駆動機構と係止解除機構とからなっていてシャッタ地板の表面側（手前側）に配置されているシャッタ羽根の制御機構については、シャッタ地板の近くに配置されている開閉駆動機構の構成部材だけを示している。また、図２は、図１における左約半分だけを拡大して示した平面図である。更に、図３は、図２に示されている開閉駆動機構と重なるようにして、開閉駆動機構よりもシャッタ地板から離れて配置されている係止解除機構の構成部材を示したものである。そのため、図３には、図２に示されている一部の構成も示されている。
【００２０】
図１において、シャッタ地板１は、その略中央部に開口部１aを形成している。シャッタ地板１の背面側には、所定の間隔を空けて、中間板２と補助地板３が順に取り付けられており、シャッタ地板１と中間板２との間に後述する先羽根の羽根室を構成し、中間板２と補助地板３との間に後述する後羽根の羽根室を構成している。また、中間板２にも、開口部１ａと重なるところに独特の形状をした開口部２ａが形成されていて、補助地板３にも、開口部１ａと重なるところに、開口部１ａよりも若干大きな長方形の開口部３ａが形成されている。通常、長方形を横長にした形状をしている露光開口（シャッタとして被写体光を通過させる開口）は、それらの開口部１ａ，２ａ，３ａの一つによって形成されるか、二つ以上の合成によって形成されるようにしているが、本実施例の場合には、開口部１ａだけによって形成されている。
【００２１】
また、本実施例の中間板２は、右上隅と、左下隅と、右下隅の３箇所に形成されている取付け孔（符号なし）によってシャッタ地板１に取り付けられている。そして、開口部２ａの左側となる外形形成縁の形状は、周知のように、後述する二つの駆動ピンの作動軌跡を避ける（逃げる）ようにして複雑な形状に形成されている。また、この中間板２は、開口部２ａの上方となる外形形状形成縁２ｂの形状が、開口部２ａ側に向けて、即ち本実施例では露光開口となる開口部１ａ側に向けて凸状となる円弧状に形成されているが、その理由は、後述する作動説明の中で説明する。また、補助地板３の外形形状は、シャッタ地板１と略同じであるが局部的に若干小さく形成されており、中間板２の場合と同じ３箇所のほか、図示していない左上隅の１箇所でシャッタ地板１に取り付けられている。尚、図２においては、図１に示されている補助地板３の外形形状の図示が省略されている。
【００２２】
図１及び図２に示されているように、シャッタ地板１には、開口部１ａの左側の領域に、円弧状の二つの長孔１ｂ，１ｃが形成されており、それらの下端部には、周知のように、平面形状が略Ｃ字状をしているゴム製の緩衝部材４，５が取り付けられている。また、シャッタ地板１には、開口部１ａの左側の領域に、三つの柱１ｄ，１ｅ，１ｆが立設されている。
【００２３】
それらの柱のうち、柱１ｆは、その先端に形成された図示していないねじ孔に、図３に示されているねじ６を螺合させることによって、図３に示されている上地板７を取り付けている。また、柱１ｄ，１ｅは、長さ方向の途中で上地板７を取り付けているほか、図３に示されているように、上地板７に立設されている柱７ａ及び軸７ｂと共に、それらの先端に形成された図示していないねじ孔に、図示していないねじを螺合させることによって、上地板７との間に所定の間隔をあけてカバー板８（外形が二点鎖線で示されている）を取り付けている。
【００２４】
次に、主に図２を用いて、シャッタ地板１と上地板７との間に配置されている構成部材を説明するが、その前に、それらを取り付けるためにシャッタ地板１に立設されている軸部材を説明する。シャッタ地板１には、上地板７に向けて六つの軸１ｇ，１ｈ，１ｉ，１ｊ，１ｋ，１ｍが立設されている。それらのうち、軸１ｇ，１ｈは、シャッタ地板１を貫通していて背面側にも軸部を立設しており、シャッタ地板１の背面側に立設された軸１ｎ，１ｐと共に、後述する先羽根の二つのアームと後羽根の二つのアームとを、それぞれ回転可能に取り付けるようにしている。また、軸１ｋ，１ｍは、先端に形成されている小径部を上地板７に形成された孔に嵌合させ、小径部との間に形成されたリング状の段差端面で上地板７を支える役目もしている。
【００２５】
そこで先ず、シャッタ地板１の上記の柱１ｄには、リング状の緩衝部材９が取り付けられている。また、上記の軸１ｇには、上地板７側に立設されている軸部に、先羽根用駆動部材１０が回転可能に取り付けられており、図示していない先羽根用駆動ばねによって、時計方向へ回転するように付勢されている。また、この先羽根用駆動部材１０は、被係止部１０ａを有しており、上地板７側の面にはローラ１０ｂを回転可能に取り付け、シャッタ地板１側には駆動ピン１０ｃを有している。そして、その駆動ピン１０ｃは、シャッタ地板１の長孔１ｂを貫通しており、根元部が上記の緩衝部材４に当接し得るようになっていて、先端部は、羽根室内で先羽根に連結されている。その先羽根の構成については後述する。
【００２６】
シャッタ地板１の上記の軸１ｈには、上地板７側に立設されている軸部に、後羽根用第１駆動部材１１と、後羽根用第２駆動部材１２とが、後羽根用第１駆動部材１１をシャッタ地板１側にして、個々に回転可能に取り付けられている。そして、後羽根用第１駆動部材１１は、上地板７側に円柱形をした係合部１１ａを設けており、シャッタ地板１側には駆動ピン１１ｂを有している。そして、その駆動ピン１１ｂは、シャッタ地板１の長孔１ｃを貫通しており、根元部が上記の緩衝部材５に当接し得るようになっていて、先端部は、羽根室内で後羽根に連結されている。その後羽根の構成については後述する。
【００２７】
また、後羽根用第２駆動部材１２は、被係止部１２ａと、上記の係合部１１ａを挿入させた窓部１２ｂとを有していて、上地板７側にはローラ１２ｃを回転可能に取り付けている。そして、この後羽根用第２駆動部材１２は、図示していない後羽根用駆動ばねによって、時計方向へ回転するように付勢されている。
【００２８】
また、本実施例の場合には、この後羽根用第２駆動部材１２と上記の後羽根用第１駆動部材１１との間に、図示していないセットばねが掛けられていて、後羽根用第２駆動部材１２を時計方向へ回転させ、後羽根用第１駆動部材１１を反時計方向へ回転させるように付勢しているが、図１及び図２の状態においては、後羽根用第１駆動部材１１の係合部１１ａが後羽根用第２駆動部材１２の窓部１２ｂの縁に接触しているので、その付勢力は働かないようになっている。尚、周知のように、そのセットばねを二つのばねで構成し、一方のばねが、後羽根用第２駆動部材１２を時計方向へ回転させるように付勢し、他方のばねが、後羽根用第１駆動部材１１を反時計方向へ回転させるように付勢するようにしても構わない。
【００２９】
シャッタ地板１の上記の軸１ｉには、セット部材１３が回転可能に取り付けられており、図示していないばねによって、反時計方向へ回転するように付勢されている。そして、このセット部材１３は、シャッタ地板１側の面に、上記した先羽根用駆動部材１０のローラ１０ｂに接触し得るローラ１３ａと、上記した後羽根用第２駆動部材１２のローラ１２ｃに接触し得るローラ１３ｂとを回転可能に取り付けている。
【００３０】
シャッタ地板１の上記の軸１ｊには、セット操作部材１４が回転可能に取り付けられている。このセット操作部材１４は、カメラ本体側の部材によって操作されるローラ１４ａを回転可能に取り付けていると共に、シャッタ地板１側の面に軸１４ｂを立設している。そして、このセット操作部材１４は、リンク部材１５を介して上記のセット部材１３に連結されている。即ち、リンク部材１５には一端に孔が形成されていて、そこに、セット操作部材１４の上記の軸１４ｂが回転可能に嵌合している。また、リンク部材１５の他端には、上地板７側にピン１５ａが設けられ、そのピン１５ａと同心となるようにしてシャッタ地板１側には軸が立設されている。そして、その軸が、セット部材１３に形成されている孔に回転可能に嵌合している。
【００３１】
そのため、図１においては、セット操作部材１４は、セット部材１３が図示していないばねの付勢力によって反時計方向へ回転したのに伴って、リンク部材１５を介して反時計方向へ回転させられ、緩衝部材９をストッパとして停止させられた状態になっている。尚、このセット操作部材１４は、セット作動時に、カメラ本体側の部材によってローラ１４ａを押されて時計方向へ回転させられたとき、リンク部材１５を介して、セット部材１３を時計方向へ回転させるためのものであるが、このようなセット操作部材１４を備えることなく、セット作動時には、直接、カメラ本体側の部材によって、セット部材１３を時計方向へ回転させるようにしても構わない。しかし、その場合には、リンク部材１５も不要になってくるので、後述の説明からも分かるように、上記のピン１５ａに代るピンを、セット部材１３に設ける必要がある。
【００３２】
シャッタ地板１の上記の軸１ｋには、先羽根用係止部材１６が回転可能に取り付けられていて、図示していないばねによって、反時計方向へ回転するように付勢されている。この先羽根用係止部材１６は、シャッタ地板１側に折り曲げられた係止部１６ａを有しているが、この係止部１６ａは、先羽根用駆動部材１０の被係止部１０ａを係止し、先羽根用駆動部材１０の時計方向への回転を阻止するためのものである。また、この先羽根用係止部材１６は、上地板７側に折り曲げられた折曲部の上端に、さらに上地板７側に突出させた被押動部１６ｂを有していて、その被押動部１６ｂを、上地板７の略長方形をした孔７ｃ（図３参照）に挿入することによって、被押動部１６ｂの先端が上地板７とカバー板８との間に存在するようにしている。
【００３３】
シャッタ地板１の上記の軸１ｍには、後羽根用係止部材１７が回転可能に取り付けられていて、図示していないばねによって、時計方向へ回転するように付勢されている。この後羽根用係止部材１７は、シャッタ地板１側に折り曲げられた係止部１７ａと、上地板７側に折り曲げられた被押動部１７ｂを有している。そして、それらのうち、係止部１７ａは、後羽根用第２駆動部材１２の被係止部１２ａを係止し、後羽根用駆動部材１２の時計方向への回転を阻止するためのものである。また、被押動部１７ｂは、図３に示されているように、上地板７とカバー板８の側方において、その先端が、上地板７とカバー板８との間に存在するようにさせられている。
【００３４】
図３に示されているように、上地板７には、カバー板８側に向けて軸７ｄが立設されているが、その軸７ｄと同心上に、シャッタ地板１側に向けて軸７ｅが立設されており、その軸７ｅには、補助セット部材１８が回転可能に取り付けられている。そして、この補助セット部材１８には、ばねが掛けられていない。また、この補助セット部材１８は、押動部１８ａと、円弧状をした長孔１８ｂと、大きな逃げ孔１８ｃとを有していて、長孔１８ｂには、上記したリンク部材１５のピン１５ａが挿入されている。
【００３５】
そのため、この補助セット部材１８は、セット部材１３が時計方向へ回転すると反時計方向へ回転し、その後、セット部材１３が反時計方向へ回転すると時計方向へ回転するようになっている。また、逃げ孔１８ｃは、先羽根用係止部材１６の被押動部１６ｂを貫通させ、上地板７の孔７ｃに挿入し得るようにしていると共に、作動上で、被押動部１６ｂとは干渉しない形状をしている。尚、図３には、リンク部材１５のピン１５ａが図示されているが、作動説明で用いる図６〜図８においては図示が省略されている。
【００３６】
次に、主に図３を用いて、上地板７とカバー板８との間に配置されている構成部材を説明するが、その前に、上地板７の全体の形状と、それらの構成部材を取り付けるためにカバー板８側に向けて上地板７に立設されている軸部材などについて説明する。先ず、上地板７は、図３において実線で示されているように、全体として上下方向に長い形状をしているが、右半分は同一平面領域として形成されているのに対して、左半分は、右半分の領域から左方向へ張り出した三つの張出し領域として形成されている。
【００３７】
そして、上から二番目の張出し領域は、右半分の領域と同一平面となるように形成されているのに対して、残りの二つの張出し領域は、折曲部７ｆ，７ｇ，７ｈによって段差が付けられ、カバー板８側に高くなるように形成されている。また、二つの折曲部７ｇ，７ｈの間には、特殊な形状をした細長い窓部７ｉが形成されている。更に、このような上地板７の右上方部には折曲部７ｊが形成され、右下方部には被当接部７ｋが形成されているが、折曲部７ｊは、シャッタ地板１側に折り曲げられていて、上記の後羽根用係止部材１７が反時計方向へ回転させられたときのストッパの役目をするものである。
【００３８】
このような形状をした上地板７には、既に説明した軸７ｂ，７ｄのほかに、カバー板８に向けて二つの軸７ｍ，７ｎが立設されている。そして、それらのうち、軸７ｄ，７ｎは、先端に形成されている小径部をカバー板８に形成された孔に嵌合させ、小径部との間に形成されているリング状の段差端面でカバー板８を支えている。また、上地板７の上記した上から二番目の張出し領域には、二つの位置決めピン７ｐ，７ｑが、カバー板８側に向けて立設されている。
【００３９】
そこで次に、このような上地板７に取り付けられている構成部材を説明する。先ず、先羽根用電磁石１９と後羽根用電磁石２０は、鉄芯部材１９ａ，２０ａに形成されている孔を上記の位置決めピン７ｐ，７ｑに嵌合させた後、ねじ２１，２２によって上地板７に取り付けられている。これらの電磁石１９，２０は、Ｕ字形をしていて各々の二つの脚部の先端を磁極部とした上記の鉄芯部材１９ａ，２０ａと、コイル１９ｂ，２０ｂを巻回していて鉄芯部材１９ａ，２０ａの一方の脚部に嵌装されたボビン１９ｃ，２０ｃとからなっている。そのため、鉄芯部材１９ａ，２０ａの脚部は、上地板７の表面には接しておらず、浮いていることになる。
【００４０】
上地板７の上記の軸７ｎには、先羽根用係止解除部材２３が回転可能に取り付けられており、図示していない先羽根用解除ばねによって時計方向へ回転するように付勢されている。この先羽根用係止解除部材２３は、先羽根用係止部材１６の被押動部１６ｂを押す押動部２３ａを有しているほか、上方先端に形成された折曲部には鉄片部材２４を、周知のようにして取り付けている。そして、その鉄片部材２４には、被押動部２４ａが、その折曲部の右側に突き出るようにして設けられている。
【００４１】
上地板７の上記の軸７ｂには、後羽根用係止解除部材２５が回転可能に取り付けられており、図示していない後羽根用解除ばねによって反時計方向へ回転するように付勢されている。この後羽根用係止解除部材２５は、後羽根用係止部材１７の被押動部１７ｂを押す押動部２５ａを有しているほか、下方先端に形成された折曲部には鉄片部材２６を取り付けている。そして、その鉄片部材２６には、被押動部２６ａが、その折曲部の右側に突き出るようにして設けられている。
【００４２】
上地板７の上記の軸７ｄには、ホールド部材２７とホールド補助部材２８とが個々に回転可能に取り付けられていて、ホールド部材２７は、上記の先羽根用係止解除部材２３よりも上地板７側に配置され、ホールド補助部材２８は、上記の先羽根用係止解除部材２３よりもカバー板８側に配置されている。そして、ホールド部材２７は、図示していない第１のばねによって時計方向に回転するように付勢されている。
【００４３】
また、ホールド部材２７とホールド補助部材２８との間には、ホールド部材２７を反時計方向へ回転させるように付勢し、ホールド補助部材２８を時計方向へ回転させるように付勢している図示していない第２のばねが掛けられている。そして、図３においては、ホールド部材２７とホールド補助部材２８との相対関係は、上記の第２のばねの付勢力によって互いに異なる方向へ回転し得る限度状態になっており、しかも、両者は、上記の第１のばねの付勢力によって、一緒に時計方向へ回転して停止させられた状態になっている。
【００４４】
そのため、図３の状態において、ホールド補助部材２８が反時計方向へ回転させられると、上記の第１のばねの付勢力に抗して、ホールド部材２７も一緒に反時計方向へ回転させられ、その後、ホールド補助部材２８を反時計方向へ回転させる力が失われると、上記の第１のばねの付勢力によって両者は一緒に時計方向へ回転させられるようになっているが、そのように、ホールド部材２７とホールド補助部材２８とが一緒に反時計方向へ回転されてゆき、ホールド部材２７の回転が阻止されるようになった場合にだけ、上記の第２のばねを緊張させながら、ホールド補助部材２８だけが、反時計方向への回転を若干続け得るようになっている。尚、両者間をこのように構成することは周知であって、その具体的な構成の一例が、例えば、特開２００７−３４０４２号公報に記載されている。
【００４５】
ホールド部材２７の先端には軸２７ａが立設されており、その軸２７ａには、周知の押圧部材２９が取り付けられている。この押圧部材２９は、図３の上下方向に延伸して形成された二つの押圧部２９ａ，２９ｂを有していて、それらで、上記の鉄片部材２４，２６の被押動部２４ａ，２６ａを押し、鉄片部材２４，２６を鉄芯部材１９ａ，２０ａに押圧し得るようになっている。そして、この押圧部材２９は、二つの鉄片部材２４，２６を鉄芯部材１９ａ，２０ａに確実に押圧できるようにするために、周知の構成により、軸２７ａに対して所定の角度だけ回転し得るようにして取り付けられている。他方、ホールド補助部材２８は、その先端が、窓部７ｉを通って上地板７の背面側に配置されており、シャッタ地板１側に折り曲げられた被押動部２８ａが、補助セット部材１８の押動部１８ａによって押され得るようになっている。
【００４６】
上地板７の上記の軸７ｍには、レリーズ部材３０が回転可能に取り付けられていて、図示していないばねによって、反時計方向へ回転するように付勢されている。このレリーズ部材３０は、一方の腕部の先端に係止部３０ａを有していて、他方の腕部の先端に被押動部３０ｂと当接部３０ｃを有しており、上記のホールド補助部材２８よりも上地板７側に配置されている。そして、係止部３０ａは、窓部７ｉを通っていて、上地板７の背面側で、ホールド補助部材２８の被押動部２８ａを係止し、ホールド補助部材２８の時計方向の回転を阻止し得るようになっている。また、被押動部３０ｂは、図示していないカメラ本体側の部材によって押される部位であり、当接部３０ｃは、レリーズ部材３０が、図示していないばねの付勢力によって反時計方向へ回転させられたとき、上地板７に形成された上記の被当接部７ｋに当接して停止させられる部位である。
【００４７】
上地板７とカバー板８との間には、もう一つの部材が配置されている。即ち、カバー板８には、図３の中央右端に、上地板７側に向けて、折曲部８ａが上下方向に細長く形成されており、その折曲部８ａの左側に、細長い直方体をしたゴム製の緩衝部材３１（便宜的に破線で示してある）が接着剤で取り付けられている。そして、この緩衝部材３１は、図３においては、ホールド部材２７と一部が重なって示されているが、実際には、カバー板８側に寄ったところで折曲部８ａに取り付けられているため、ホールド部材２７の作動には影響を与えず、ホールド部材２７に取り付けられている押圧部材２９の押圧部２９ａ，２９ｂだけが当接し得るように配置されている。
【００４８】
次に、既に説明した中間板２と補助地板３以外に、シャッタ地板１の背面側に配置されている構成部材を、図１及び図２を用いて説明する。先ず、シャッタ地板１と中間板２の間に配置されている先羽根は、シャッタ地板１に立設された二つの軸１ｇ，１ｎに一端を枢着されている二つのアーム３２，３３と、それらの自由端に向けて順に枢支された４枚の羽根３４，３５，３６，３７とで構成されていて、それらの最先端に枢支された羽根３７をスリット形成羽根としている。そして、アーム３２は、周知の孔に、先羽根用駆動部材１０の駆動ピン１０ｃを嵌合させていると共に、軸１ｇに対する枢着部の近傍に、二つの遮光部３２ａ，３２ｂを形成している。また、アーム３２，３３と羽根３４，３５，３６，３７との重なり関係は、アーム３２，３３が最もシャッタ地板１側に存在し、羽根３４が最も中間板２側に存在するようになっている。
【００４９】
また、中間板２と補助地板３の間に配置されている後羽根は、シャッタ地板１に立設された二つの軸１ｈ，１ｐに一端を枢着されている二つのアーム３８，３９と、それらの自由端に向けて順に枢支された４枚の羽根４０，４１，４２，４３とで構成されていて、それらの最先端に枢支された羽根４３をスリット形成羽根としている。そして、アーム３８は、周知の孔に、後羽根用第１駆動部材１１の駆動ピン１１ｂを嵌合させていると共に、軸１ｈに対する枢着部の近傍に、二つの遮光部３８ａ，３８ｂを形成している。また、アーム３８，３９と羽根４０，４１，４２，４３との重なり関係は、アーム３８，３９が最も補助地板３側に存在し、羽根４０が最も中間板２側に存在するようになっている。
【００５０】
最後に、シャッタ地板１の背面側には、軸１ｇ，１ｈの近傍部に、同じ構成をした二つの光電センサ４４，４５が取り付けられている。これらの光電センサ４４，４５は、一般にフォトインターラプタといわれているものであって、発光部と受光部とが対向して配置されていて、発光部から出射した光を受光部で受光するように構成されており、受光部が受光しているときはＨ（High）信号を出力し、受光していないときにはＬ（Low）信号を出力するようになっている。そして、本実施例の場合には、上記のアーム３２の遮光部３２ａ，３２ｂが、光電センサ４４の光路を遮断し、上記のアーム３８の遮光部３８ａ，３８ｂが、光電センサ４５の光路を遮断し得るようになっている。
【００５１】
次に、本実施例の作動を説明する。図１〜図３は、既に説明したように、露光作動終了直後の状態、即ち撮影終了直後の状態を示したものである。そして、このとき、図１及び図２に示されているセット部材１３は、図示していないばねの付勢力によって反時計方向へ回転するように付勢されているが、このセット部材１３と連動しているセット操作部材１４が緩衝部材９に接触していることによって、この停止状態が維持されている。以下、セット部材１３については、この停止位置を初期位置ということにする。
【００５２】
また、このとき、先羽根用駆動部材１０と後羽根用第１駆動部材１１は、それらの駆動ピン１０ｃ，１１ｂを緩衝部材４，５に当接させ、時計方向の回転を停止させられており、それによって、先羽根の４枚の羽根３４〜３７は、相互の重なり量を最大にした重畳状態となって、開口部１ａの下方領域に格納され、後羽根の４枚の羽根４０〜４３は、相互の重なり量を最小にした展開状態になって、開口部１ａを閉鎖している。また、このとき、ホールド部材２７とホールド補助部材２８は、図示していない上記の第１ばねによって時計方向へ回転するように付勢されているが、図３に示されているように、ホールド補助部材２８の被押動部２８ａが、補助セット部材１８の押動部１８ａに接触していることによって、その回転を阻止されている。
【００５３】
また、このとき、先羽根用係止解除部材２３は、図示していない先羽根用解除ばねの付勢力によって時計方向へ回転させられ、鉄片部材２４を先羽根用電磁石１９の鉄芯部材１９ａから離反させており、押動部２３ａが先羽根用係止部材１６の被押動部１６ｂを上地板７の孔７ｃの縁に押し付けた状態で停止させられている。また、後羽根用係止解除部材２５は、図示していない後羽根用解除ばねの付勢力によって反時計方向へ回転させられ、鉄片部材２６を後羽根用電磁石２０の鉄芯部材２０ａから離反させており、押動部２５ａが後羽根用係止部材１７の被押動部１７ｂを押し、後羽根用係止部材１７を上地板７の折曲部７ｊに押し付けた状態で停止させられている。そして、この状態においては、二つの電磁石１９，２０のコイル１９ｃ，２０ｃには通電されていない。
【００５４】
先羽根と後羽根の露光作動が終了して、このような状態になると、撮像情報が、撮像素子から画像処理回路を介して転送され、記憶装置に記憶された後、直ちにセット作動が行われる。本実施例の場合、そのセット作動は、図２において、セット操作部材１４が、図示していないカメラ本体側の部材によってローラ１４ａを押され、時計方向へ回転させられることによって開始される。そこで、そのセット作動を、図２及び図３のほかに、図４〜図６を用いて説明する。
【００５５】
上記のように、図２において、図示していないカメラ本体側の部材がローラ１４ａを押し、セット操作部材１４を時計方向へ回転させると、セット部材１３は、図示していないばねの付勢力に抗して時計方向へ回転させられる。そのため、一方では、セット部材１３の二つのローラ１３ａ，１３ｂが、開閉駆動機構をセットしていくことになり、他方では、リンク部材１５のピン１５ａが、図３において補助セット部材１８を反時計方向へ回転させ、係止解除機構をセットしていくことになる。そして、それらのセット作動は、並行して行われていくことになるが、先ずは、開閉駆動機構のセット作動の方から説明する。
【００５６】
そこで先ず、図２において、セット部材１３が時計方向へ回転を開始すると、最初に、ローラ１３ａが先羽根用駆動部材１０のローラ１０ｂを押し、先羽根用駆動部材１０を、図示していない先羽根用駆動ばねの付勢力に抗して、反時計方向へ回転させるので、開口部１ａの下方位置に格納されていた先羽根の４枚の羽根３４〜３７が、隣接する羽根同士の重なり量を小さくしつつ、スリット形成羽根３７を先頭にして上方へ作動させられていく。そして、先羽根のスリット形成羽根３７と後羽根のスリット形成羽根４３の重なりが所定量に達すると、セット部材１３の他方のローラ１３ｂが、後羽根用第２駆動部材１２のローラ１２ｃを押し始めるため、後羽根用第２駆動部材１２は、図示していない後羽根用駆動ばねの付勢力に抗して、反時計方向へ回転させられようになる。
【００５７】
また、上記したように、図示していないセットばねが、後羽根用第１駆動部材１１と後羽根用第２駆動部材１２との間に掛けられていて、後羽根用第１駆動部材１１を反時計方向へ回転させ且つ後羽根用第２駆動部材１２を時計方向へ回転させるように付勢しているので、後羽根用第２駆動部材１２が、上記のようにして、セット部材１３によって反時計方向へ回転させられると、先羽根用第１駆動部材１１も、その係合部１１ａが後羽根用第２駆動部材１２の窓部１２ｂの縁に追従して、反時計方向へ回転させられる。そのため、後羽根の４枚の羽根４０〜４３は、その時点から隣接する羽根同士の重なり量を小さくしつつ上方へ作動させられていく。そして、それ以後は、先羽根と後羽根は、スリット形成羽根同士の重なり量を好適に保ちながら作動を続けていくことになる。
【００５８】
このようにして、セット作動が行われてゆき、先羽根の４枚の羽根３４〜３７が展開状態となって開口部１ａを覆い、後羽根の４枚の羽根４０〜４３が重畳状態となって開口部１ａの上方位置に格納された段階になると、後羽根用第１駆動部材１１は、その駆動ピン１１ｂが、シャッタ地板１に形成されている円弧状の長孔１ｃの上端に当接して停止させられる。
【００５９】
そして、先羽根用駆動部材１０と後羽根用第２駆動部材１２は、その後も、僅かに反時計方向への回転を続けるので、先羽根の４枚の羽根３４〜３７も上方への作動を続けるが、後羽根の４枚の羽根４０〜４３は停止したままになるため、後羽根用第１駆動部材１１と後羽根用第２駆動部材１２との間に掛けられた図示していないセットばねが緊張されていく。つまり、本実施例の場合には、このような作動を可能にしたことによって、後羽根用第２駆動部材１２がそれ以上回転しても、後羽根の４枚の羽根４０〜４３は、それに伴って、それ以上は上方へ作動させられないようになっている。
【００６０】
そのため、後羽根の格納領域のスペース、言い換えれば、開口部１ａの上端縁からシャッタ地板１の上端縁までの距離が小さくて済むので、光学ファインダなどの図示していないカメラ本体側の構成部材を、少しでも有利に設置できるようになっている。従って、そのように構成する必要がない場合には、後羽根用第１駆動部材１１と後羽根用第２駆動部材１２とを、上記の特許文献２に記載されているフォーカルプレンシャッタのように、一つの部材としてしまっても構わない。
【００６１】
本実施例の場合には、このようにして、後羽根用第１駆動部材１１の回転が停止した後も、先羽根用駆動部材１０と後羽根用第２駆動部材１２は、なおも反時計方向へ回転させられていく。それによって、先羽根用駆動部材１０は、その被係止部１０ａが、その段階では既に被係止部１０ａの作動軌跡内に存在している（その理由は、後述の係止解除機構のセット作動説明から理解することができる）係止部１６ａを押すことによって、先羽根用係止部材１６を、図示していないばねの付勢力に抗して僅かに時計方向へ回転させ始める。そして、先羽根用駆動部材１０がなおも回転してそれらの接触が解かれると、先羽根用係止部材１６は、図示していないばねの付勢力によって反時計方向へ回転させられ、係止部１６ａを、被係止部１０ａの係止可能状態にする。
【００６２】
他方、上記のように、先羽根用駆動部材１０の被係止部１０ａが、先羽根用係止部材１６の係止部１６ａを押している段階では、後羽根用第２駆動部材１２も、被係止部１２ａが、その被係止部１２ａの作動軌跡内に既に存在している（後述の係止解除機構のセット作動説明から理解することができる）係止部１７ａを押すことによって、後羽根用係止部材１７を、図示していないばねの付勢力に抗して、反時計方向へ回転させ始めている。そして、後羽根用第２駆動部材１２がなおも回転することによってそれらの接触が解かれると、後羽根用係止部材１７は、図示していないばねの付勢力によって時計方向へ回転させられ、係止部１７ａを、被係止部１２ａの係止可能状態にする。そのときの状態が、図４に示されたオーバーセット状態である。
【００６３】
このようなオーバーセット状態になると、図示していないカメラ本体側の部材が、セット操作部材１４のローラ１４ａから離れていく。そのため、セット部材１３は、図示していないばねの付勢力によって反時計方向へ回転し得るようになり、リンク部材１５を介して、セット操作部材１４を反時計方向へ回転させながら、初期位置へ復帰していく。
【００６４】
他方、この回転によって、セット部材１３のローラ１３ａ，１３ｂが、二つの駆動部材１０，１２のローラ１０ｂ，１２ｃに対する押圧力を解いていくので、それらの駆動部材１０，１２は、図示していない後羽根用駆動ばねの付勢力によって時計方向へ回転させられるが、いずれも僅かに回転したところで、それらの被係止部１０ａ，１２ａが上記の各係止部材１６，１７の係止部１６ａ，１７ａによって係止され、停止させられる。また、この僅かな回転で、先羽根の４枚の羽根３４〜３７は僅かに下方へ作動させられるが、開口部１ａの一部を開いてしまうことはない。
【００６５】
そして、その後、セット部材１３が初期位置で停止すると、セット作動が完了する。図５は、そのセット完了状態、即ち撮影待機状態を示したものであるが、本実施例の場合には、中間板２の外形形状形成縁２ｂが、図１に示されているように、開口部１ａ側に凸状となる円弧状に形成されているため、図５からも容易に推測できるように、この撮影待機状態においては、他の３枚の羽根４１〜４３と重畳状態になっている羽根４０は、開口部１ａの上方に位置する領域では、おおよそ１／３が中間板２と接触していない。尚、光電センサ４４，４５は、カメラの電源をＯＮにしたときから通電されているので、このセット完了状態では、いずれも、アーム３２，３８の遮光部３２ａ，３８ａによって光路を遮断され、Ｌ信号を出力している。
【００６６】
以上で、開閉駆動機構のセット作動の説明を終え、次に、セット作動時に、セット部材１３が、図２において、図示していないばねの付勢力に抗して時計方向へ回転し、リンク部材１５のピン１５ａによって、係止解除機構をセットする場合を説明する。セット部材１３が図２において時計方向へ回転すると、図３に示されている補助セット部材１８は、その長孔１８ｂの幅方向の縁をリンク部材１５のピン１５ａに押されて反時計方向へ回転させられ、その押動部１８ａによってホールド補助部材２８の被押動部２８ａを押し、図示していない上記の第１ばねの付勢力に抗して、ホールド部材２７とホールド補助部材２８を反時計方向へ回転させていく。
【００６７】
それにより、ホールド部材２７の先端に取り付けられている押圧部材２９は、その二つの押圧部２９ａ，２９ｂによって鉄片部材２４，２６の被押動部２４ａ，２６ａを押し、各々の図示していないばねの付勢力に抗して、先羽根用係止解除部材２３を反時計方向へ回転させ、後羽根用係止解除部材２５を時計方向へ回転させていく。また、その回転に伴って、二つの係止解除部材２３，２５の押動部２３ａ，２５ａが、上記の先羽根用係止部材１６と後羽根用係止部材１７の被押動部１６ｂ，１７ｂに対する押圧力を解いていく。
【００６８】
その結果、各々の図示していないばねの付勢力によって、先羽根用係止部材１６は反時計方向へ回転し、後羽根用係止部材１７は時計方向へ回転するので、上記の開閉駆動機構の作動説明で述べたように、それらの係止部１６ａ，１７ａが、二つの駆動部材１０，１２に形成されている被係止部１０ａ，１２ａの作動軌跡内に存在するようになる。そして、それらの係止部材１６，１７の回転は、それらの被押動部１６ｂ，１７ｂが上地板７の縁に当接することによって停止させられる。
【００６９】
ホールド部材２７は、その後も、押圧部材２９によって先羽根用係止解除部材２３と後羽根用係止解除部材２５を回転させていくと、やがて、鉄片部材２４，２６が、先羽根用電磁石１９と後羽根用電磁石２０の各々の鉄芯部材１９ａ，２０ａに接触する。そのため、先羽根用係止解除部材２３と後羽根用係止解除部材２５の回転は停止し、ホールド部材２７もそれ以上は反時計方向へ回転できなくなる。しかしながら、その後もホールド補助部材２８の被押動部２８ａが補助セット部材１８の押動部１８ａに押されるので、ホールド補助部材２８は、ホールド部材２７との間に掛けられた図示していない上記の第２のばねを緊張させながら僅かに回転させられたところで停止する。
【００７０】
他方、上記のように鉄片部材２４，２６が鉄芯部材１９ａ，２０ａに接触した後、レリーズレバー３０は、それまで、ホールド補助部材２８の被押動部２８ａによって阻止されていた回転を許されるようになり、図示していないばねの付勢力によって反時計方向へ回転させられ、その当接部３０ｃが上地板７の被当接部７ｋに当接して停止させられる。それによって、レリーズ部材３０の係止部３０ａが、ホールド補助部材２８の被押動部２８ａの作動軌跡内に入り込んで、ホールド補助部材２８の時計方向の回転を阻止し得る状態になる。補助セット部材１８の回転が停止して、係止解除機構がこのような状態になったときが、上記の開閉駆動機構のセット作動で説明したオーバーセット状態のときである。
【００７１】
このようなオーバーセット状態から、上記したように、セット部材１３が初期位置へ復帰させられると、補助セット部材１８も時計方向へ回転させられるので、ホールド補助部材２８も、ホールド部材２７との間に掛けられた図示していない上記の第２のばねの付勢力によって時計方向へ回転させられるが、その回転は、僅かに回転したところで、ホールド補助部材２８の被押動部２８ａが、レリーズ部材３０の係止部３０ａに係止されて停止させられる。
【００７２】
そして、このときのホールド補助部材２８の回転は、ホールド部材２７との間に掛けられている図示していない第２のばねの付勢力が作用する範囲内であるから、ホールド部材２７は回転せず、押圧部材２９の押圧部２９ａ，２９ｂは、依然として鉄片部材２４，２６を鉄芯部材１９ａ，２０ａに接触させている。このような状態が、図６に示された係止解除機構のセット完了状態、即ち撮影待機状態である。
【００７３】
次に、図７及び図８も加えて、撮影時における作動を説明する。図５及び図６に示された撮影待機状態において、撮影者が、光学ファインダで被写体像を観察しながらカメラのレリーズボタンを押すと、先ず、一方では、可動ミラーを跳ね上げて、撮影光路から退かせ、他方では、先羽根用電磁石１９のコイル１９ｂと後羽根用電磁石２０のコイル２０ｂに通電する。そのため、それまでは、単に鉄芯部材１９ａ，２０ａに接触させられていただけの鉄片部材２４，２６が、鉄芯部材１９ａ，２０ａに電磁力で吸着される。そこで次に、図示していないカメラ本体側の部材が、図６において、レリーズ部材３０の被押動部３０ｂを押すので、レリーズ部材３０は時計方向へ回転し、係止部３０ａによって行っていた、ホールド補助部材２８の係止を解く。
【００７４】
被押動部２８ａの係止を解かれたホールド補助部材２８は、図示していない上記の第２のばねの付勢力によって極めて僅かに回転した後、図示していない上記の第１のばねの付勢力によってホールド部材２７と共に時計方向へ回転する。このようにしてホールド部材２７が時計方向へ回転を開始すると、押圧部材２９の押圧部２９ａ，２９ｂが、鉄片部材２４，２６の被押動部２４ａ，２６ａから離れていくが、上記のように、鉄芯部材２４，２６が既に鉄芯部材１９ａ，２０ａによって吸着されているので、先羽根用係止解除部材２３と後羽根用係止解除部材２５とは、各々の図示していないばねの付勢力によって回転することができず、図６の状態を維持される。そして、ホールド部材２７とホールド補助部材２８との時計方向の回転は、ホールド補助部材２８の被押動部２８ａが補助セット部材１８の押動部１８ａに当接することによって停止させられる。
【００７５】
このようにして、ホールド部材２７の回転は停止させられるが、そのとき、ホールド部材２７に取り付けられている押圧部材２９が、軸２７ａを中心にして大きく傾いて振動する。ところが、本実施例の場合には、カバー板８の折曲部８ａに、ゴム製の緩衝部材３１が取り付けられているので、押圧部材２９が傾くと、押圧部２９ａ，２９ｂのいずれかが緩衝部材３１に当接し、押圧部材２９の振動が早期に収まるようになっている。図７は、そのような傾きによって、押圧部材２９の押圧部２９ｂが緩衝部材３１に当接している状態を示したものである。また、その後、押圧部材２９が理想的な姿勢になって静止した状態が図８に示されている。
【００７６】
図８に示された状態が得られると、次に、先羽根用電磁石１９のコイル１９ｂに対する通電が断たれる。そのため、鉄片部材２４に対する吸着力が失われるので、先羽根用係止解除部材２３は、図示していない先羽根用解除ばねの付勢力によって時計方向へ回転させられ、その過程で、押動部２３ａが、先羽根用係止部材１６の被押動部１６ｂを押していく。そのため、先羽根用係止部材１６は、図示していないばねの付勢力に抗して時計方向へ回転させられ、それまで係止部１６ａによって係止していた先羽根用駆動部材１０の係止を解く。そして、その後における先羽根用係止解除部材２３の回転は、その押動部２３ａが先羽根用係止部材１６の被押動部１６ｂを、上地板７に形成されている孔７ｃの縁に押し付けることによって停止する。
【００７７】
このようにして、先羽根用係止解除部材２３が、先羽根用係止部材１６の係止部１６ａによる先羽根用駆動部材１０の被係止部１０ａの係止を解くと、先羽根用駆動部材１０は、図５の状態から、図示していない先羽根用駆動ばねの付勢力によって急速に時計方向へ回転させられる。そのため、先羽根の４枚の羽根３４〜３７は、隣接する羽根同士の重なりを大きくしつつ開口部１ａの下方へ作動し、スリット形成羽根３７の上端縁によって、開口部１ａを開いていく。そして、周知のように、被写体が暗い場合やフラッシュ撮影をする場合には、先羽根の４枚の羽根３４〜３７が開口部１ａを全開にしてから、二つの後羽根用駆動部材１１，１２が時計方向へ回転させられることになるが、本実施例の作動説明においては、被写体が明るく、しかもフラッシュを使用しないで撮影をする場合で説明する。
【００７８】
上記のようにして、先羽根用電磁石１９のコイル１９ｂに対する通電が断たれてから所定時間が経過すると、今度は後羽根用電磁石２０のコイル２０ｂに対する通電が断たれる。そのため、鉄片部材２６に対する吸着力が失われ、後羽根用係止解除部材２５は、図８の状態から、図示していない後羽根用解除ばねの付勢力によって反時計方向へ回転させられるが、その過程で、押動部２５ａが、後羽根用係止部材１７の被押動部１７ｂを押していく。それによって、後羽根用係止部材１７は、図示していないばねの付勢力に抗して反時計方向へ回転させられ、それまで係止部１７ａで係止していた後羽根用第２駆動部材１２の係止を解く。そして、その後の後羽根用係止解除部材２５の回転は、その押動部２５ａが後羽根用係止部材１７を、上地板７に形成されている折曲部７ｊに押し付けることによって停止する。
【００７９】
このようにして、後羽根用係止部材１７による係止が解かれると、後羽根用第２駆動部材１２は、図示していない後羽根用駆動ばねの付勢力によって、図５の状態から急速に時計方向へ回転させられるが、その初期段階において、窓部１２ｂの縁が後羽根用第１駆動部材１１の係合部１１ａを押すので、後羽根用第１駆動部材１１も時計方向へ回転を開始する。従って、それ以後は、二つの駆動部材１１，１２は、時計方向へ一体的に回転することになる。そして、後羽根用第１駆動部材１１が時計方向へ回転を開始すると、後羽根の４枚の羽根４０〜４３は、隣接する羽根同士の重なりを小さくしつつ開口部１ａ内へ作動してゆき、スリット形成羽根４３の下端縁によって、開口部１ａを上方から閉じていく。そのため、それ以後は、先羽根のスリット形成羽根３７と後羽根のスリット形成羽根４３の間に形成されたスリットにより、撮像素子の撮像面を上方から下方に向けて露光していく。
【００８０】
ところで、本実施例の場合には、中間板２の形状が従来とは異なっている。即ち、本実施例の中間板２は、既に説明したように、後羽根の４枚の羽根４０〜４３が重畳状態にさせられて格納される側の外形形成縁２ｂが、露光開口、即ち開口部１ａ側に向けて凸状となる円弧状になるように形成されている。そのため、図５に示されているセット完了状態においては、後羽根の４枚の羽根４０〜４３は、それらの羽根の長さ方向の略中央部において、中間板２との重なり幅が最も小さくなるようになっている。そこで、本実施例の中間板２が何故このような形状をしているのかを、ここで説明しておく。
【００８１】
周知のように、本実施例のように、シャッタ地板１と中間板２との間に先羽根が配置され、中間板２と補助地板３の間に後羽根が配置されている場合には、シャッタ地板１と中間板２との間は、先羽根の４枚の羽根３４〜３７が重畳状態になるところで最も大きな空気間隔を必要とするし、中間板２と補助地板３との間では、後羽根の４枚の羽根４０〜４３が重畳状態になるところで最も大きな空気間隔を必要とする。即ち、本実施例の場合には、シャッタ地板１と中間板２の間の羽根室は、開口部１ａの下方において最も大きな空気間隔を必要とするし、中間板２と補助地板３の間の羽根室は、開口部１ａの上方において最も大きな空気間隔を必要とする。
【００８２】
ところが、最近では、カメラの小型化に伴い、シャッタ地板１と補助地板３との間隔を少しでも小さくすることが要求されているため、重畳状態になっているときには、先羽根の４枚の羽根３４〜３７は、シャッタ地板１と中間板２とによって比較的強く挟まれ、後羽根の４枚の羽根４０〜４３は、中間板２と補助地板３とによって比較的強く挟まれるようになっている。そのため、先羽根の４枚の羽根３４〜３７の場合も、後羽根の４枚の羽根４０〜４３の場合にも、重畳状態から展開状態に作動するときには、従来よりも大きな摩擦抵抗力に抗して作動を開始させる必要が生じている。
【００８３】
このような状況下において、本実施例の場合には、先羽根の４枚の羽根３４〜３７が、重畳状態から展開状態に作動させられるのは、セット作動を行うときである。そのため、先羽根の場合には、その作動開始のタイミングが多少不安定になったとしても、撮影自体には特に大きな問題を生じさせることがない。
【００８４】
しかしながら、後羽根の４枚の羽根４０〜４３が、重畳状態から展開状態に作動するのは、露光作動を行うときである。そのため、羽根４０〜４３の相互間の摩擦抵抗力や、スリット形成羽根４３と補助地板３との間の摩擦抵抗力や、羽根４０と中間板２との間の摩擦抵抗力が大きいと、部品加工や組立加工上での僅かな差異によって、作動開始のタイミングが不安定になったり、スリット形成羽根４３が若干傾いて作動を開始したりしてしまうようになる。従って、特に高速で撮影する場合には、露光時間が安定して得られなくなったり、露光むらを発生させたりして、極めて大きな問題になる。そこで、本実施例の場合には、重畳状態における後羽根の羽根４０と中間板２との接触面積を、全体構成上からみて効率的に小さくするために、中間板２の外形形状形成縁２ｂを円弧状にしている。
【００８５】
つまり、中間板２の上方両端の位置は、シャッタ地板１に対する取付けの都合や、その取付け部が羽根の作動に干渉しないようにするために、従来どおりにしており、その上で外形形状形成縁２ｂを円弧状にしたのは、羽根４０と中間板２との接触面積を小さくして摩擦抵抗力を小さくすることによって、間接的にスリット形成羽根４３の作動開始を円滑且つ安定したものにすると共に、作動を開始するとき、スリット形成羽根４３に左右方向の傾きが生じにくくなるように配慮したものである。
【００８６】
ここで、先羽根と後羽根による露光作動の説明に戻る。本実施例における先羽根と後羽根は、上記のようにして、所定の間隔のスリットを形成して、撮像素子の撮像面を露光していくが、周知のように、その露光量は、撮像面のどの領域においても同じであることが要求される。ところが、シャッタユニットを製作するときには、所定の規格どおりに製作されていても、カメラ本体に組み込まれたときや、カメラの発売後においては、撮像面の露光量の分布が一定しなくなって、露光むらを発生させてしまうことがある。そこで、本実施例のフォーカルプレンシャッタを備えているカメラは、そのような事態が生じても、それを自動的に補正できるようになっている。
【００８７】
そこで、そのような補正を可能にするために、本実施例では、上記したように、シャッタ地板１に二つの光電センサ４４，４５が取り付けられており、先羽根のアーム３２には遮光部３２ａ，３２ｂが形成され、後羽根のアーム３８には遮光部３８ａ，３８ｂが形成されていて、先羽根のスリット形成羽根３７と後羽根のスリット形成羽根４３とによって形成されるスリットが、開口部１ａの上方領域にあるときと、真中の領域にあるときと、下方領域にあるときとの３箇所で、スリット幅を検出するようになっている。
【００８８】
そして、各領域でのスリット幅の検出は、上方領域の場合には、アーム３２の遮光部３２ａが光電センサ４４の光路から退いてから、アーム３８の遮光部３８ａが光電センサ４５の光路から退くまでの時間を検出し、真中の領域の場合には、アーム３２の遮光部３２ｂが光電センサ４４の光路を遮断してから、アーム３８の遮光部３８ｂが光電センサ４５の光路を遮断するまでの時間を検出し、下方領域の場合には、アーム３２の遮光部３２ｂが光電センサ４４の光路から退いてから、アーム３８の遮光部３８ｂが光電センサ４５の光路から退くまでの時間を検出することによって行なわれる。そして、その検出結果に基づいて、３箇所における露光量が適正露光量となるように補正される。
【００８９】
尚、このようなスリット幅の検出結果による補正は、例えばカメラ側の制御回路が後羽根用電磁石２０のコイル２０ｂに対する通電を遮断する時機を、電気的に微調整するようにして、次の撮影が適正露光で行われるようにしてもよいが、デジタルカメラの場合には、検出時に撮影した画像情報を、記憶装置からカメラ本体側の画像処理回路に呼び出して補正をし、その補正後の画像情報を最終画像情報として記憶装置にあらためて記憶させるようにすることも可能である。
【００９０】
このようにして、先羽根の４枚の羽根３４〜３７と後羽根の４枚の羽根４０〜４３とが、それらのスリット形成羽根３７，４３の間にスリットを形成して下方へ移動していくが、先羽根の露光作動は、４枚の羽根３４〜３７が重畳状態になって開口部１ａからその下方位置へ退いた直後に、先羽根用駆動部材１０の駆動ピン１０ｃが緩衝部材４に当接することによって停止させられ、後羽根の露光作動は、４枚の羽根４０〜４３が展開状態になって開口１ａを完全に閉鎖した直後に、後羽根用第１駆動部材１１の駆動ピン１１ｂが緩衝部材５に当接することによって停止させられる。その状態が、図１及び図２に示されている状態である。そして、既に説明したように、この状態で撮像情報が記憶装置に記憶された後、直ちにセット作動が行われるが、それと並行して、カメラ本体側に備えられている可動ミラーが撮影光路内に復帰する。
【００９１】
尚、本実施例は、上記の特許文献２に記載されているような係止タイプのフォーカルプレンシャッタに本発明を適用したものであるが、本発明は、上記の特許文献１，３に記載されているような、ダイレクトタイプのフォーカルプレンシャッタにも適用することができるし、上記の特許文献４に第２実施例として記載されているような、モータを駆動源としたフォーカルプレンシャッタにも適用することができることは言うまでもない。
【００９２】
また、既に述べたように、特許文献４に第２実施例として記載されているフォーカルプレンシャッタは、本実施例の場合と同様に、露光作動に際しては、撮影の都度、第１のシャッタ羽根を展開状態から重畳状態に作動させ、第２のシャッタ羽根を重畳状態から展開状態に作動させるようにすることができるほか、前の撮影で、第１のシャッタ羽根を展開状態から重畳状態に作動させ、第２のシャッタ羽根を重畳状態から展開状態に作動させた場合には、次の撮影では、第２のシャッタ羽根を展開状態から重畳状態に作動させ、第１のシャッタ羽根を重畳状態から展開状態に作動させることも可能である。従って、後者のような露光作動を行わせる場合には、本発明の外形形状形成縁を、本実施例のように、露光開口の一方の長辺の外側の外形形状形成縁にだけ適用するのではなく、他方の長辺の外側の外形形状形成縁にも適用すると有効である。
【００９３】
更に、特許文献３に記載されているフォーカルプレンシャッタは、撮影前には、撮影対象とする被写体像を、撮像素子を介してモニタで観察可能となっており、撮影に際してカメラのレリーズボタンを押すと、先羽根が重畳状態から展開状態に復帰した後、先羽根と後羽根による露光作動が行われるように構成されている。そして、本実施例や特許文献２に記載されている係止タイプのフォーカルプレンシャッタの場合にも、先羽根用駆動部材の構成を特許文献３に記載されている構成のようにすることによって、同じような作動を行わせることが可能である。また、特許文献４に記載されている第２実施例のフォーカルプレンシャッタに同じような作動を行わせることも可能である。そのため、そのような作動を行わせる場合にも、本発明の外形形状形成縁を、露光開口の一方の長辺の外側の外形形状形成縁にだけ適用するのではなく、他方の長辺の外側の外形形状形成縁にも適用すると有効である。
【符号の説明】
【００９４】
１                              シャッタ地板
１ａ，２ａ，３ａ                開口部
１ｂ，１ｃ，１８ｂ              長孔
１ｄ〜１ｆ，７ａ                柱
１ｇ〜１ｋ，１ｍ，１ｎ，１ｐ，７ｂ，７ｄ，７ｅ，７ｍ，７ｎ，１４ｂ，２７ａ  軸
２                              中間板
２ｂ                            外形形状形成縁
３                              補助地板
４，５，９，３１                緩衝部材
６，２１，２２                  ねじ
７                              上地板
７ｃ                            孔
７ｆ〜７ｈ，７ｊ，８ａ          折曲部
７ｉ，１２ｂ                    窓部
７ｋ                            被当接部
７ｐ，７ｑ                      位置決めピン
８                              カバー板
１０                            先羽根用駆動部材
１０ａ，１２ａ                  被係止部
１０ｂ，１２ｃ，１３ａ，１３ｂ，１４ａ  ローラ
１０ｃ，１１ｂ                  駆動ピン
１１                            後羽根用第１駆動部材
１１ａ                          係合部
１２                            後羽根用第２駆動部材
１３                            セット部材
１４                            セット操作部材
１５                            リンク部材
１５ａ                          ピン
１６                            先羽根用係止部材
１６ａ，１７ａ，３０ａ          係止部
１６ｂ，１７ｂ，２４ａ，２６ａ，２８ａ，３０ｂ  被押動部
１７                            後羽根用係止部材
１８                            補助セット部材
１８ａ，２３ａ，２５ａ          押動部
１８ｃ                          逃げ孔
１９                            先羽根用電磁石
１９ａ，２０ａ                  鉄芯部材
１９ｂ，２０ｂ                  コイル
１９ｃ，２０ｃ                  ボビン
２０                            後羽根用電磁石
２３                            先羽根用係止解除部材
２４，２６                      鉄片部材
２５                            後羽根用係止解除部材
２５ｂ                          被抑止部
２７                            ホールド部材
２８                            ホールド補助部材
２９                            押圧部材
２９ａ，２９ｂ                  押圧部
３０                            レリーズ部材
３０ｃ                          当接部
３２，３３，３８，３９          アーム
３２ａ，３２ｂ，３８ａ，３８ｂ  遮光部
３３〜３７，４０〜４３          羽根
４４，４５                      光電センサ
【図１】
0005704889.tif 000002
【図２】
0005704889.tif 000003
【図３】
0005704889.tif 000004
【図４】
0005704889.tif 000005
【図５】
0005704889.tif 000006
【図６】
0005704889.tif 000007
【図７】
0005704889.tif 000008
【図８】
0005704889.tif 000009